(57)【要約】  冷媒流体の凝縮および相分離のためのシステムは、冷媒蒸気の流れを受け取るように構成されている凝縮器の入口ヘッダを含む。凝縮器は凝縮器のヘッダと流体連通し、蒸気を受け取り、混合相流体流を生成するように構成される。複数の混合相入口を含む、細長いマニフォルド分離器は、凝縮器から受け取られた混合相流体を分離するように構成される。得られた蒸気流および液体流は、マニフォルド分離器の蒸気出口および液体出口から出る。【選択図】図４
2020534499.tif 000002
【特許請求の範囲】
【請求項１】
冷媒流体を凝縮し、相分離するためのシステムであって、
ａ．冷媒蒸気の流れを受け取るように構成され、凝縮器のヘッダ出口を有する、凝縮器の入口ヘッダと、
ｂ．前記凝縮器のヘッダ出口および混合相流体出口と流体連通する蒸気入口を有する凝縮器であって、前記蒸気入口を介して蒸気を受け取り、混合相出口を介して前記凝縮器から出る混合相流体流を生成するように構成される、凝縮器と、
ｃ．前記凝縮器の前記混合相出口と流体連通する複数の混合相入口を含む、細長いマニフォルド分離器であって、前記混合相入口を介して受け取られた混合相流体を、蒸気と液体とに分離するように構成され、得られた蒸気流が前記マニフォルド分離器から出る蒸気出口、および得られた液体流が前記マニフォルド分離器から出る液体出口を含む、細長いマニフォルド分離器と
を備える、システム。
【請求項２】
ｄ．前記マニフォルド分離器の蒸気出口から蒸気流を受け取るように構成された入口、および蒸気集積ヘッダ出口を有する、蒸気集積ヘッダと、
ｅ．前記マニフォルド分離器の液体出口から液体流を受け取るように構成された入口、および液体集積ヘッダ出口を有する、液体集積ヘッダと、
ｆ．前記液体集積ヘッダ出口、およびサージ容器の液体出口と流体連通する入口を有する、液体サージ容器と
をさらに備える、請求項１に記載のシステム。
【請求項３】
前記液体サージ容器の上部空間、および前記蒸気集積ヘッダまたは前記蒸気集積ヘッダ出口から延びるラインと流体連通する、圧力均衡化ラインをさらに備える、請求項２に記載のシステム。
【請求項４】
前記マニフォルド分離器の前記混合相入口には、分離器の入口デバイスが設けられる、請求項１〜３のいずれか一項に記載のシステム。
【請求項５】
前記分離器の入口デバイスは、バッフル板分離器を含む、請求項４に記載のシステム。
【請求項６】
前記分離器の入口デバイスは、半割パイプ分離器を含む、請求項４に記載のシステム。
【請求項７】
前記マニフォルド分離器の前記蒸気出口は、蒸気／液体係合解除デバイスを含む、請求項１〜６のいずれか一項に記載のシステム。
【請求項８】
前記マニフォルド分離器の前記液体出口は、前記マニフォルド分離器内に位置付けられたバッフルを含む、請求項１〜７のいずれか一項に記載のシステム。
【請求項９】
前記バッフルは、前記マニフォルド分離器の長手方向軸に対して垂直な面に位置付けられたバッフル板を含み、前記マニフォルド分離器の前記液体出口の上に位置付けられる、請求項８に記載のシステム。
【請求項１０】
前記バッフル板は、前記マニフォルド分離器の前記液体出口の上に切り抜きを含む、請求項９に記載のシステム。
【請求項１１】
前記マニフォルド分離器は、複数の混合相入口を含み、前記マニフォルド分離器の前記蒸気出口および液体出口は、前記複数の混合相入口の間に位置付けられる、請求項１〜１０のいずれか一項に記載のシステム。
【請求項１２】
前記凝縮器は空冷式熱交換器である、請求項１〜１１のいずれか一項に記載のシステム。
【請求項１３】
前記凝縮器は複数の管群を含み、各管群は、ラインおよび前記マニフォルド分離器の対応する混合相入口を有する、請求項１２に記載のシステム。
【請求項１４】
前記凝縮器は少なくとも４つの管群を含み、前記マニフォルド分離器は少なくとも４つの対応する混合相入口を有し、ｎ混合相入口とｎ＋１混合相入口との間の空間は交互に距離を変えて設けられる、請求項１３に記載のシステム。
【請求項１５】
マニフォルド分離器であって、分離チャンバを画定する細長い本体を有し、混合相流体が前記分離チャンバ内に受け取られるように構成された、複数の混合相入口を含み、前記本体は、蒸気流が前記分離チャンバを出ることができるように構成された蒸気出口と、液体流が前記分離チャンバを出ることができるように構成された液体出口とをさらに含む、マニフォルド分離器。
【請求項１６】
前記マニフォルド分離器の前記混合相入口には、分離器の入口デバイスが設けられる、請求項１５に記載のマニフォルド分離器。
【請求項１７】
前記分離器の入口デバイスは、バッフル板分離器を含む、請求項１６に記載のマニフォルド分離器。
【請求項１８】
前記分離器の入口デバイスは、半割パイプ分離器を含む、請求項１６に記載のマニフォルド分離器。
【請求項１９】
前記マニフォルド分離器の前記蒸気出口は、蒸気／液体係合解除デバイスを含む、請求項１５〜１８のいずれか一項に記載のマニフォルド分離器。
【請求項２０】
前記マニフォルド分離器の前記液体出口は、前記マニフォルド分離器内に位置付けられたバッフルを含む、請求項１５〜１９のいずれか一項に記載のマニフォルド分離器。
【請求項２１】
前記バッフルは、前記マニフォルド分離器の長手方向軸に対して垂直な面に位置付けられたバッフル板を含み、前記マニフォルド分離器の前記液体出口の上に位置付けられる、請求項２０に記載のマニフォルド分離器。
【請求項２２】
前記バッフル板は、前記マニフォルド分離器の前記液体出口の上に切り抜きを含む、請求項２１に記載のマニフォルド分離器。
【請求項２３】
前記マニフォルド分離器は、複数の混合相入口を含み、前記マニフォルド分離器の前記蒸気出口および液体出口は、前記複数の混合相入口の間に位置付けられる、請求項１５〜２２のいずれか一項に記載のマニフォルド分離器。
【請求項２４】
少なくとも４つの対応する混合相入口を有し、ｎ混合相入口とｎ＋１混合相入口との間の空間は交互に距離を変えて設けられる、請求項２３に記載のマニフォルド分離器。
【請求項２５】
液化システムであって、
ａ．１つまたは複数の冷凍通路、加温端部、および冷却端部を有し、前記加温端部において供給ガスを受け取り、前記ガスを液化し、前記液化したガスを前記冷却端部から分配するように構成された、液化熱交換器と、
ｂ．圧縮システムであって、
ｉ）蒸気流を受け取るように構成され、凝縮器のヘッダ出口を有する、凝縮器の入口ヘッダと、
ｉｉ）前記凝縮器のヘッダ出口および混合相流体出口と流体連通する蒸気入口を有する凝縮器であって、前記蒸気入口を介して蒸気を受け取り、混合相出口を介して前記凝縮器から出る混合相流体流を生成するように構成される、凝縮器と、
ｉｉｉ）前記凝縮器の前記混合相出口と流体連通する複数の混合相入口を含む、細長いマニフォルド分離器であって、前記混合相入口を介して受け取られた混合相流体を、蒸気と液体とに分離するように構成され、得られた蒸気流が前記マニフォルド分離器から出る蒸気出口、および得られた液体流が前記マニフォルド分離器から出る液体出口を含む、細長いマニフォルド分離器と
を含む圧縮システムと
を備える、液化システム。
【請求項２６】
前記圧縮システムは、
ｉｖ）前記マニフォルド分離器の蒸気出口から蒸気流を受け取るように構成された入口、および前記熱交換器の１つまたは複数の前記冷凍通路のうちの１つと流体連通する、蒸気集積ヘッダ出口を有する、蒸気集積ヘッダと、
ｖ）前記マニフォルド分離器の液体出口から液体流を受け取るように構成された入口、および前記熱交換器の１つまたは複数の前記冷凍通路のうちの１つと流体連通する、液体集積ヘッダ出口を有する、液体集積ヘッダと
をさらに備える、請求項２５に記載の液化システム。
【請求項２７】
前記液体集積ヘッダ出口と流体連通する入口、および前記熱交換器の１つまたは複数の前記冷凍通路のうちの１つと流体連通する、サージ容器の液体出口を有する、液体サージ容器をさらに備える、請求項２６に記載の液化システム。
【発明の詳細な説明】
【技術分野】
【０００１】
[0001]本出願は、その内容が参照として本明細書に組み込まれる、２０１７年９月１４日に出願された米国仮特許出願第６２／５５８，７０６号の利益を主張する。
【０００２】
[0002]本開示は全体的に、冷媒流体処理システムに関し、詳細には凝縮器の出口マニフォルド、および混合冷媒の相を分離するためのシステムに関する。
【背景技術】
【０００３】
[0003]天然ガスなどのガスは、貯蔵および輸送のために液化されることが多い。ガスを液化するシステムは、一般的に熱交換器（通常は「保冷ボックス」の内部）において冷媒との間接的な熱交換を介して、ガスを冷却する。エネルギー利用に対する効率は、液化システムにとって優先事項である。システムの冷凍サイクルにおける混合冷媒の使用は、冷媒の加温曲線がガスの冷却曲線と緊密に一致するという点で、効率を向上させる。
【０００４】
[0004]一般的に液化システムの冷凍サイクルは、混合冷媒を調整または処理するための圧縮システムを含む。混合冷媒の処理は、液相と気相とを分離し、熱交換器の一部分に導いて、より効率的な冷却をもたらすことを含み得る。このようなシステムの例は、共同所有された、Ｇｕｓｈａｎａｓらによる米国特許第９，４４１，８７７号、Ｄｕｃｏｔｅ，Ｊｒ．らによる米国特許出願公開第２０１４／０２６０４１５号、およびＤｕｃｏｔｅ，Ｊｒ．らによる米国特許出願公開第２０１６／０２９８８９８号において提供されており、これら各々の内容は、参照として本明細書に組み込まれている。
【０００５】
[0005]一般的に混合冷媒の圧縮システムは、１つまたは複数のステージを含む。各ステージは、圧縮器、凝縮器、ならびに、分離および液体蓄積デバイスを含む。圧縮器を出る蒸気は凝縮器において冷却され、得られた二相または混合相の流れは、分離および液体蓄積デバイスに導かれ、そこから蒸気および液体は、さらなる処理、および／または液化熱交換器の方向へ出る。
【０００６】
[0006]図１および図２を参照すると、従来技術の混合冷媒（ｍｉｘｅｄ  ｒｅｆｒｉｇｅｒａｎｔ：ＭＲ）の液化システム設計において、ＭＲ冷凍圧縮器の排出は、一般的には管群２０ａ、２０ｂ、２０ｃ、および２０ｄを含む複数の空冷室の列において空冷される。圧縮器の排出は、初めに入口分配ヘッダ２２に導かれ、ライン２４ａ、２４ｂ、２４ｃ、および２４ｄを介して、空冷管群に分配される。各管群からの二層または混合相の空冷出口の流れは、ライン２８ａ、２８ｂ、２８ｃ、および２８ｄを介して集積ヘッダ２６に放出され、次にライン３４を介して、ＭＲ分離および液体蓄積の大きい容器（ＭＲ蓄積器）３２に送られる。ＭＲ蓄積器３２は、分離器の入口デバイス３６を含み、液体はＭＲ蓄積器３２の底部へ導かれる一方で、蒸気は頂部へ導かれる。蒸気は、ＭＲ蓄積器３２の頂部を出て、ライン３８を通り、液化保冷ボックス４２（および熱交換器内部）に移動して、間接熱交換を介して液化されたガスを冷却するために使用される。液体は、ＭＲ蓄積器３２の底部を出て、ライン４４を通り、保冷ボックス４２（および熱交換器内部）に移動して、やはりガスを冷却するために使用される。
【０００７】
[0007]図１および図２の構成要素が良好に機能する一方で、プロットレイアウトの簡略化、ＭＲ圧縮回路の圧力低下の軽減、およびコストの低減が望ましい。
【発明の概要】
【課題を解決するための手段】
【０００８】
[0021]本主題にはいくつかの態様が存在し、それらは以下で説明および特許請求されるデバイスおよびシステムにおいて別個に、または共に具現化され得る。これらの態様は、単独で、または本明細書で説明される主題の他の態様と組み合わせて利用され得る。これらの態様の説明は共に、これらの態様を別個に使用すること、または、これらの態様を別個もしくは添付の特許請求の範囲の記載の異なる組合せで主張することを排除することを意図しない。
【０００９】
[0022]１つの態様において、冷媒流体の凝縮および相分離のためのシステムは、冷媒蒸気の流れを受け取るように構成されている凝縮器の入口ヘッダを含む。凝縮器の入口ヘッダは、凝縮器のヘッダ出口も有する。システムは、凝縮器のヘッダ出口および混合相流体出口と流体連通する蒸気入口を有する、凝縮器も有する。凝縮器は、蒸気入口を介して蒸気を受け取り、混合相出口を介して凝縮器を出る混合相流体流を生成するように構成される。複数の混合相入口を含む、細長いマニフォルド分離器は、凝縮器の混合相出口と流体連通する。マニフォルド分離器は、混合相入口を介して受け取られた混合相冷媒流体を、蒸気と液体とに分離するように構成され、得られた蒸気流がマニフォルド分離器から出る蒸気出口と、得られた液体流がマニフォルド分離器から出る液体出口とを含む。入口を有する蒸気集積ヘッダは、マニフォルド分離器の蒸気出口から蒸気流を受け取るように構成され、蒸気集積ヘッダ出口も有する。入口を有する液体集積ヘッダは、マニフォルド分離器の液体出口から液体流を受け取るように構成され、液体集積ヘッダ出口も有する。
【００１０】
[0023]別の態様において、マニフォルド分離器は、分離チャンバを画定する細長い本体を有し、混合冷媒流体が分離チャンバ内に受け取られるように構成された、複数の混合相入口を含む。この本体は、蒸気流が分離チャンバを出ることができるように構成された蒸気出口、および液体流が分離チャンバを出ることができるように構成された液体出口も含む。
【００１１】
[0024]さらに別の実施形態において、液化システムは、１つまたは複数の冷凍通路、加温端部、および冷却端部を有する、液化熱交換器を含む。液化熱交換器は、加温端部において供給ガスを受け取るように、ガスを液化するように、および冷却端部からの液化ガスを分配するように、構成される。液化システムは、冷媒蒸気の流れを受け取るように構成された凝縮器の入口ヘッダを有する、圧縮システムも含む。凝縮器の入口ヘッダは、凝縮器のヘッダ出口も有する。システムは、凝縮器のヘッダ出口および混合相流体出口と流体連通する蒸気入口を有する、凝縮器も有する。凝縮器は、蒸気入口を介して蒸気を受け取り、混合相出口を介して凝縮器を出る混合相流体流を生成するように構成される。複数の混合相入口を含む、細長いマニフォルド分離器は、凝縮器の混合相出口と流体連通する。マニフォルド分離器は、混合相入口を介して受け取られた混合相冷媒流体を、蒸気と液体とに分離するように構成され、得られた蒸気流がマニフォルド分離器から出る蒸気出口と、得られた液体流がマニフォルド分離器から出る液体出口とを含む。入口を有する蒸気集積ヘッダは、マニフォルド分離器の蒸気出口から蒸気流を受け取るように構成され、熱交換器の１つまたは複数の冷凍通路のうちの１つと流体連通する、蒸気集積ヘッダ出口も有する。入口を有する液体集積ヘッダは、マニフォルド分離器の液体出口から液体流を受け取るように構成され、熱交換器の１つまたは複数の冷凍通路のうちの１つと流体連通する、液体集積ヘッダ出口も有する。
【図面の簡単な説明】
【００１２】
【図１】[0008]従来技術の凝縮器、混合冷媒分離器、および蓄積システムを示す、処理フローおよび概要の側面図である。
【図２】[0009]図１の処理フローおよび概要の正面図である。
【図３】[0010]本開示の、混合冷媒凝縮器の出口マニフォルド分離器の実施形態を含む、凝縮および分離システムを示す、処理フローおよび概要の側面図である。
【図４】[0011]図３の処理フローおよび概要の正面図である。
【図５】[0012]本開示の、混合冷媒凝縮器の出口マニフォルド分離器の実施形態における、バッフル板分離器の入口デバイスの上面図である。
【図６】[0013]図５のバッフル板分離器の入口デバイスの正面図である。
【図７】[0014]本開示の、混合冷媒凝縮器の出口マニフォルド分離器の実施形態における、半割パイプ分離器の入口デバイスの上面図である。
【図８】[0015]図７の半割パイプ分離器の入口デバイスの側面図である。
【図９】[0016]本開示の、混合冷媒凝縮器の出口マニフォルド分離器の実施形態における、液体バッフル板の側面図である。
【図１０】[0017]図９の液体バッフル板の正面図である。
【図１１】[0018]本開示の、混合冷媒凝縮器の出口マニフォルド分離器の実施形態を含む、凝縮および分離システムを示す、処理フローおよび概要の側面図である。
【図１２】[0019]図１１の処理フローおよび概要の正面図である。
【図１３】[0020]混合冷媒圧縮システムの、簡略化した処理フローおよび概要を示す図である。
【発明を実施するための形態】
【００１３】
[0025]混合冷媒の凝縮および分離システムは、図３および図４において５０で全体的に示される。圧縮器（図１３）は、保冷ボックス（図３の５２）内に任意選択で位置付けられた液化熱交換器において加温された、混合冷媒蒸気を受け取り、それを入口５６（図４で隠れて示される）を介して等、凝縮器の入口分配ヘッダ５４に導く。
【００１４】
[0026]凝縮器は、凝縮器の入口分配ヘッダ５４から蒸気を受け取る。単なる例示として、凝縮器は、５８ａおよび５８ｂで全体的に示された一対の熱交換器を含み得る。当然ながら、凝縮器のために、１つ、または２つより多い熱交換器を含む、別の数の熱交換器を使用してもよい。
【００１５】
[0027]熱交換器５７は、好ましくは、空冷室５８ａ、５８ｂにおける複数の管群６０ａ、６０ｂ、６０ｃ、および６０ｄを特徴とする、空冷式熱交換器（ＡＣＨＸ）である。熱交換器の管群は、パイピングライン６２ａ、６２ｂ、６２ｃ、および６２ｄを介して、凝縮器の入口分配ヘッダ５４から蒸気を受け取る。単なる例示で、好適なＡＣＨＸとして、ジョージア州カントンのＣｈａｒｔ  Ｉｎｄｕｓｔｒｉｅｓ，Ｉｎｃ．社で入手可能な、ＣＳＣ、ＨＡＰＰＹ、ＥＳＥＸ、およびＴＲＩ−ＴＨＥＲＭＡＬの強制通風モデルおよび誘引通風モデルが挙げられる。
【００１６】
[0028]ライン、パイピング、およびパイプという用語は、本開示を通して交換可能に使用され、流体流を運べる構造を示す。
【００１７】
[0029]熱交換器は、代わりに水冷式もしくは他のタイプの凝縮器であってもよく、または当技術分野で公知の熱交換器が代替として使用され得る。
【００１８】
[0030]凝縮器の管群６０ａ、６０ｂ、６０ｃ、および６０ｄからの、得られた二層または混合相の出口の流れは、パイピングまたはライン６６ａ、６６ｂ、６６ｃ、および６６ｄを介して、細長い凝縮器の出口マニフォルド分離器６４に放出される。マニフォルド分離器は、内部分離チャンバを画定する本体を含む。この内部分離チャンバは、混合相の流れを、マニフォルド分離器本体に形成された対応する入口を介して、パイピング６６ａ〜６６ｄから受け取る。マニフォルド分離器が、全体的に（両端を閉じられた）パイプ形状、したがって円筒形の分離チャンバを有するように示されるが、マニフォルドは代替として他の外形を使用してもよい。
【００１９】
[0031]マニフォルド分離器６４に到達する際に、二層または混合相の流れは、マニフォルド分離器の底部に集積する液体と、マニフォルド分離器の液体の上の上部空間に集積する蒸気とに分離する。
【００２０】
[0032]細長いマニフォルド分離器６４の上部空間からの蒸気は、マニフォルド分離器本体の頂部に形成された蒸気出口を介してマニフォルド分離器の分離チャンバを出た後、蒸気出口パイプ６８ａ、６８ｂを介して蒸気集積ヘッダ７２に移動する。マニフォルド分離器６４の底部からの液体は、マニフォルド分離器本体の底部に形成された液体出口を介してマニフォルド分離器の分離チャンバを出た後、液体出口パイプ７４ａ、７４ｂを介して液体集積ヘッダ７６に移動する。
【００２１】
[0033]蒸気は、蒸気集積ヘッダ７２から、パイピング７８を介して、液化熱交換器／保冷ボックス５２の対応する通路へ放出され、熱交換器を通過するガスの液化、またはこのような使用のための準備において冷却に使用される。液体集積ヘッダ７６からの液体は、パイピング８４を介して、混合冷媒液体のサージドラムまたは容器８２に放出される。図３および図４において８６で示されるように、ある量の液体が、サージドラムまたは容器８２に貯まる。サージドラム８２からの液体は、パイピング８８を介して、液化熱交換器／保冷ボックス５２の対応する通路へ放出され、熱交換器を通過するガスの液化、またはこのような使用のための準備において冷却に使用される。
【００２２】
[0034]液体サージドラム８２は、（図示のように）水平設計または垂直設計であってよく、位置は制約されない。液体サージドラム８２は、意図される液体の最高レベルがマニフォルド分離器６４の高さより低ければ、パイプラックもしくはモジュール、または保冷ボックス内に同一平面で独立して位置させることができる。
【００２３】
[0035]図３および図４において９０で示された、圧力均衡化ラインは、混合冷媒液体サージドラム８２の頂部から、蒸気集積ヘッダ７２から保冷ボックスへ至るライン７８、または蒸気集積ヘッダ７２のいずれかまで延びる。
【００２４】
[0036]マニフォルド分離器６４には、室５８ａおよび５８ｂの各々の群から最小２つの入口を伴う、群６０ａ〜６０ｄ当たり少なくとも１つの混合相入口が装備される。この入口は露出したノズルであってもよく、または任意選択で、バッフル板、羽根式分離器の入口デバイス、または当技術分野で公知である他の分離器の入口デバイスなどの、分離器の入口デバイス９２ａ〜９２ｄ（図４）が装備されてもよい。好適な分離器の入口デバイスとして、限定ではないが、スイス国ＷｉｎｔｅｒｔｈｕｒのＳｕｌｚｅｒ  Ｃｈｅｍｔｅｃｈ社で入手可能な、ＳＨＥＬＬ  ＳＣＨＯＥＰＥＮＴＯＥＴＥＲおよびＴＲＥＥＩＮＬＥＴが挙げられる。
【００２５】
[0037]分離器の入口デバイスの別の例は、バッフル板分離器の入口デバイスであり、その例は図５および図６において９２ａで全体的に示される（入口分離器デバイス９２ｂ〜９２ｄは類似の構造を特徴とし得る）。デバイスの上面図は図５に提供され、一方でデバイスの正面図は図６に提供される。このようなデバイスを伴い、入口パイプ６６ａは、マニフォルド分離器６４の後側（図４で示された正面側の反対側）に実際に入る。バッフル板入口デバイスは、両開放端を有する箱状構造を特徴とする。より具体的には、頂板１０２および底板１０４の各々は、マニフォルド分離器６４の壁の内面から平行に、マニフォルド分離器６４の内部の中に延びる。正面板１０６は、頂板１０２および底板１０４の遠位端に接合し、それによって一対の開放側１０８および１１０が画定される。
【００２６】
[0038]分離器の入口デバイスの別の例は、半割パイプ分離器の入口デバイスであり、その例は図７および図８において９２ａで全体的に示される（入口分離器デバイス９２ｂ〜９２ｄは類似の構造を特徴とし得る）。デバイスの上面図は図７に提供され、デバイスの側面図は図８に提供される。このようなデバイスを伴い、入口パイプ６６ａは、マニフォルド分離器６４の後側（図４で示された正面側の反対側）に実際に入る。半割パイプ入口デバイスは、マニフォルド分離器６４の壁の内面からマニフォルド分離器６４の内部の中に延び、開放底部１１３を画定する、弧状のフード１１２を特徴とする。半円の正面板１１４は、フードの内側端部を閉鎖する。
【００２７】
[0039]各凝縮室のために、マニフォルド分離器の入口または入口ノズルは、各群の外縁部または各室の外縁部に位置付けられるように、好ましくは類似的に位置付けられる（図４に示されるように）。これによって、入口ノズルを横断して水平に動くとき（右から左、または左から右）、ｎ番目の入口ノズルとｎ＋１番目の入口ノズルとの間の距離は、ｎが奇数の場合における次の入口ノズルまでの長い距離と、ｎが偶数の場合における次の入口ノズルまでの短い距離とが交互に変わる。例えば、入口デバイス９２ａを表わすノズルから、入口デバイス９２ｂを表わすノズルまでの水平距離は、入口デバイス９２ｂを表わすノズルと入口デバイス９２ｃを表わすノズルとの間の水平距離よりも、大幅に長い。
【００２８】
[0040]（ライン６８ａ〜６８ｂおよび７４ａ〜７４ｂそれぞれと連通する）マニフォルド分離器６４の蒸気および液体出口ノズルは、（ライン６６ａ〜６６ｄと連通する）入口ノズル間の長い距離に設置される。これらの出口ノズルは、２つの近接した入口ノズルからの各相の全ての流れのために、サイズが決められる。
【００２９】
[0041]マニフォルド分離器の蒸気出口には、任意選択で蒸気／液体係合解除デバイス９４ａおよび９４ｂを伴う（または伴わない）出口ノズルが装備され得る。蒸気／液体係合解除デバイスは、単なる例として、メッシュパッド、羽根パック、または、限定ではないが、スイス国ＷｉｎｔｅｒｔｈｕｒのＳｕｌｚｅｒ  Ｃｈｅｍｔｅｃｈ社の、ＫＮＩＴＭＥＳＨ、ＫＮＩＴＭＥＳＨ  Ｖ−ＭＩＳＴＥＲ、ＭＥＬＬＡＣＨＥＶＲＯＮ、およびＳＨＥＬＬ  ＳＷＩＲＬＴＵＢＥを含む、当技術分野で公知である他のミスト除去デバイスであってよい。
【００３０】
[0042]図４、図９、および図１０に示されるように、マニフォルド分離器の液体出口には、海上での適用または平坦ではない場所での据付けにおける動きを考慮して、任意選択で、モジュール分離器６４の長手方向軸に対して垂直に、バッフル９６ａおよび９６ｂの上に（またはバッフル９６ａおよび９６ｂを伴わず）出口ノズルが設けられてよい。バッフル板９６ａ、９６ｂには、好ましくは全体的に矩形の切り抜き（図９の板９６ａにおける１１６で示される）が設けられ、バッフル板の両側に開いているノズル空間を提供する。
【００３１】
[0043]図１１および図１２に示されるように、図３および図４の混合冷媒凝縮および分離システムは、液体サージドラム８２を省略して構築され得る。このような実施形態において、液体集積ヘッダ７６の底部を出るライン８４は、液化熱交換器５２の対応する通路に直接延びる。加えて、図１２に示されるように、図４の分離入口デバイス９２ａ〜９２ｄは、マニフォルド分離器６４から省略され得る。図４の、ミスト除去デバイス９４ａおよび９４ｂ、ならびに液体バッフル９６ａおよび９６ｂも、図１２に示されるように、マニフォルド分離器６４から省略され得る。
【００３２】
[0044]上述のマニフォルド分離器ならびに混合冷媒凝縮および分離システムが内部で使用され得る、従来技術の例である混合冷媒圧縮システムは、図１３に提示される。図１３の圧縮システムにおいて、２つの別個のサービスまたはステージが存在する。第１のステージで、混合冷媒圧縮器の第１のセクション１２０の排出において、蒸気は冷却され、かつ部分的に凝縮され、次に、液化熱交換器の専用通路に放出される液体を用いて分離される。分離された蒸気は、混合冷媒圧縮器の第２のセクション１２２における、吸引口に放出される。第２のステージで、混合冷媒圧縮器の第２のセクション１２２の排出において、蒸気は冷却され、かつ部分的に凝縮され、次に、液化熱交換器の専用通路に各々放出される液体および蒸気を用いて分離される。図１３の点線ブロック１２４および１２６内に位置された、従来技術の構成要素は、図１および図２を参照して上記で説明した。本開示に従い、図３および図４の構成要素（熱交換器５２を除く）または図１１および図１２の構成要素（熱交換器５２を除く）は、代わりに使用され、図１３の点線ブロック１２４および１２６内の構成要素を提供し得る。
【００３３】
[0045]図１３は、液化処理の２つのステージの圧縮システムを対象にしているが、複数室の空冷式（または他のクーラント）凝縮器の後ろに蒸気−液体分離器が付く、任意のサービスに本開示のイノベーションが利用され得る。
【００３４】
[0046]したがって、本開示のマニフォルド分離器の上記の実施形態は、凝縮器の全長に沿った、複数入口、複数出口の水平分離器（示された実施形態においては空冷の列）として役立つ。基本的に、マニフォルド分離器は、従来の混合冷媒蓄積器の分離機能を実行し、その一方で混合冷媒液体サージドラムは、従来の混合蓄積器の液体貯蔵機能を実行する。
【００３５】
[0047]マニフォルド分離器６４の大きさおよび方向付けは、図３、図４、および１１、図１２に示されるものから変化し得る。例えば、マニフォルド分離器の水平方向全長は、凝縮器の水平方向全長よりも長くても、または短くてもよく、および／またはマニフォルド分離器の長手方向軸は、凝縮器の列の長手方向軸に平行であってよく、または平行でなくてもよい。
【００３６】
[0048]図１および図２のシステムと同じか、または類似の、蒸気／液体分離を実現する一方で、上述の本発明の実施形態におけるいくつかの利益は、以下のとおりである。１）プロットレイアウトを簡略化できる。２）混合冷媒圧縮回路における圧力低下を軽減でき、それによって圧縮電力要求を低減できる。３）合計のシステム金属重量およびコストを低減できる。４）混合冷媒液体サージドラムを保冷ボックスの内側に容易に設置できる。
【００３７】
[0049]本開示の好ましい実施形態を示し、説明してきた。変形および変更が、本開示の趣旨から逸脱することなく成され得ることを、当業者は理解されたい。本開示の範囲は、以下の特許請求の範囲によって定義される。
【図１】
2020534499.tif 000003
【図２】
2020534499.tif 000004
【図３】
2020534499.tif 000005
【図４】
2020534499.tif 000006
【図５】
2020534499.tif 000007
【図６】
2020534499.tif 000008
【図７】
2020534499.tif 000009
【図８】
2020534499.tif 000010
【図９】
2020534499.tif 000011
【図１０】
2020534499.tif 000012
【図１１】
2020534499.tif 000013
【図１２】
2020534499.tif 000014
【図１３】
2020534499.tif 000015
【国際調査報告】
2020534499.tif 000016
2020534499.tif 000017
2020534499.tif 000018